(57)【要約】【課題】腕や肩を露出した衣服の着用者が簡単に体温調整や体調管理を行う。【解決手段】本発明は、腕や肩を露出した衣服１０に設けられる半袖構造であって、展開可能なように複数回、重ね折りされており、展開時に半袖形状を成すように構成されていることを特徴とすると共に、このような構成を有する半袖構造を備えている衣服１０であり、腕や肩を露出した衣服１０の着用者が、置かれた環境の温度等に応じて、簡単に体温調整や体調管理を行うことができる。【選択図】図１
2009013514.tif 000002
【特許請求の範囲】
【請求項１】
腕や肩を露出した衣服に設けられる半袖構造であって、
展開可能なように複数回、重ね折りされており、展開時に半袖形状を成すように構成されていることを特徴とする半袖構造。
【請求項２】
前記衣服の前身頃と後身頃に取り付けられる肩紐に設けられており、蛇腹状に重ね折りされ、前記肩紐の前端部及び後端部はそれぞれ固定されている請求項１に記載の半袖構造。
【請求項３】
前記衣服はキャミソールである請求項１又は２に記載の半袖構造。
【請求項４】
請求項１〜３のいずれか１の請求項に記載の半袖構造を備えていることを特徴とする衣服。
【発明の詳細な説明】
【技術分野】
【０００１】
本発明は、腕や肩を露出した衣服に設けられる半袖構造及び該半袖構造を備えた衣服に関し、特に、衣服の前身頃と後身頃とを結ぶ肩紐に設けられる半袖構造及び該半袖構造を備えた衣服に関する。
【背景技術】
【０００２】
一般に、キャミソールやスリップ等の腕や肩を露出した衣服には、前身頃と後身頃とを結ぶ肩紐が設けられている。
【０００３】
この種の従来の肩紐は、帯状の伸縮性生地により形成されており、肩紐の前端部及び後端部は衣服の前身頃と後見頃の各縁部にそれぞれ縫製により縫い合わされて固定されている（例えば、特許文献１参照）。
【０００４】
また、体温の調整には、肩が非常に高い役割を担っており、肩を露出することにより、体感温度が下がることが知られている。
【特許文献１】特開２００５−１８７９７７号公報
【発明の開示】
【発明が解決しようとする課題】
【０００５】
ところが、上記した従来の衣服では、着用時に腕や肩が露出するため、着用者が、例えば、冷房の効いた屋内に居る場合には、カーデガン等の上着を重ね着したりする一方、気温の高い屋外に居る場合には、上着を脱いで持ち歩いたりするというように、着用者は置かれた環境の温度等に応じて、上着を着脱して体温調整や体調管理を行う必要があり、体温調整や体調管理に煩わしさを伴うといった問題があった。
【０００６】
本発明は、上記した課題を解決すべくなされたものであり、腕や肩を露出した衣服の着用者が簡単に体温調整や体調管理を行うことのできる半袖構造及び該半袖構造を備えた衣服を提供することを目的とするものである。
【課題を解決するための手段】
【０００７】
上記した目的を達成するため、本発明は、腕や肩を露出した衣服に設けられる半袖構造であって、展開可能なように複数回、重ね折りされており、展開時に半袖形状を成すように構成されていることを特徴とする。
【０００８】
そして、前記衣服の前身頃と後身頃に取り付けられる肩紐に設けられており、蛇腹状に重ね折りされ、前記肩紐の前端部及び後端部はそれぞれ固定されていてもよい。
【０００９】
また、前記衣服はキャミソールであってもよい。
【００１０】
さらに、本発明は、上記した構成を有する半袖構造を備えていることを特徴とする衣服である。
【発明の効果】
【００１１】
本発明によれば、重ね折りされた部分を展開することにより簡単に半袖形状を成すようになっているため、腕や肩を露出した衣服の着用者が、置かれた環境の温度等に応じて、簡単に体温調整や体調管理を行うことができる。
【発明を実施するための最良の形態】
【００１２】
以下、図面を参照しつつ、本発明の実施の形態について説明する。なお、以下の説明では、本発明をキャミソールの肩紐に適用した場合について例示して説明する。
【００１３】
図１は本発明の実施の形態に係る半袖構造及び該半袖構造を備えたキャミソール１０を示す正面図であり、このキャミソール１０は、前身頃１１と後身頃（図示せず）とにより筒状に縫製されたキャミソール本体１２と、前端部１３と後端部１４が前身頃１１と後身頃の各上縁部にそれぞれ縫製により縫い合わされて固定された左右の肩紐１５とを備えて構成されている。
【００１４】
肩紐１５は、それぞれ帯状の生地により形成されており、図２に良く示されているように、複数回（図示では、山折りと谷折りが１回ずつで合計２回）、蛇腹状に重ね折りされている。また、図３に破線で示されているように、重ね折りされた肩紐１５の前端部１３と後端部１４はそれぞれ縫い合わされて固定されており、肩紐１５は、少なくとも外側に展開可能となっている。そして、図１の左側（正面視では右側）の肩紐１５に示すように、肩紐１５は、その展開時に半袖形状を成すようになっている。
【００１５】
そして、このような構成を備えたキャミソール１０の着用者が、例えば、気温の高い屋外に居る場合には、肩紐１５を重合させたままの状態にしておく一方、冷房の効いた屋内に居る場合には、肩紐１５を展開して半袖形状にし、肩より下方部分の上腕部を覆うようにする。これにより、着用者は置かれた環境の温度等に応じて、上着を着脱する必要がないため、簡単に体温調整や体調管理を行うことができると共に、脱いだ上着を置き忘れたりすることも防止することができる。
【００１６】
また、上記した本発明の実施の形態に係る半袖構造及び該半袖構造を備えた衣服によれば、キャミソールから半袖ウェアまでの範囲の衣服を１つの衣服で兼用することができるため、衣服の収納スペースを削減することができると共に、衣服の購入費用の節約を図ることができる。
【００１７】
なお、上記した実施の形態では、肩紐１５の前端部１３と後端部１４はキャミソール本体１２の前身頃１１と後身頃の各上縁部にそれぞれ縫製により縫い合わされているが、これは単なる例示に過ぎず、肩紐１５の前端部１３と後端部１４はボタンやホック等により前身頃１１と後身頃の各上縁部に対して着脱自在に取り付けられていてもよい。
【００１８】
また、肩紐１５の重ね折り回数、重ね折り形状、重ね折り方法、重ね折り幅等は、上記した場合に限定する趣旨ではなく、各種変更が可能である。
【００１９】
さらに、上記した実施の形態では、本発明をキャミソールの肩紐に適用した場合について説明したが、これは単なる例示に過ぎず、本発明は、例えば、スリップ、タンクトップ、ランニングシャツ、ベスト等のインナーウェアやアウターウェアの他、男女を問わず新生児から高齢者までの衣服や、犬や猫等のペット用衣服に至るまで、腕や肩を露出した衣服全般に適用可能である。
【図面の簡単な説明】
【００２０】
【図１】本発明の実施の形態に係る半袖構造及び該半袖構造を備えたキャミソールを示す正面図である。
【図２】本発明の実施の形態に係る本発明の実施の形態に係る半袖構造及び該半袖構造を備えた肩紐を示す斜視図である。
【図３】本発明の実施の形態に係る本発明の実施の形態に係る半袖構造及び該半袖構造を備えた肩紐の縫い合わせ部分を示す斜視図である。
【符号の説明】
【００２１】
１０          キャミソール（腕や肩を露出した衣服）
１３          前端部
１４          後端部
１５          肩紐
【図１】
2009013514.tif 000003
【図２】
2009013514.tif 000004
【図３】
2009013514.tif 000005